(57)【要約】【課題】ブロア等を大型化することなく、より速い速度で走行したとしても十分な清掃性能を発揮することができる路面清掃車を提供する。【解決手段】清掃ユニットとして、吸引フード３０内の空気吸引口２１よりも車両進行方向後方位置に、路面に接地して路面上の塵埃を掃き上げるための掃き上げブラシ１１を、塵埃を空気吸引口２１側へ掃き上げる方向へ回転可能に設置した。また、吸引フード３０の、掃き上げブラシ１１よりも更に車両進行方向後方位置に開設された空気吐出口２２から掃き上げブラシ１１の接地部へ向かって空気を吐出するようにした。【選択図】図４
2007303172.tif 000002
【特許請求の範囲】
【請求項１】
車体に、塵埃を回収するためのホッパと、路面に対面した作業位置で路面の一部を覆うことにより内部に清掃室を形成可能な蓋状のフード部材を有する清掃ユニットと、前記フード部材に開設された空気吸引口に接続され、前記清掃室内にある塵埃を空気とともに前記ホッパへ回収可能な吸引装置とを備えた路面清掃車であって、
前記フード部材内の前記空気吸引口よりも車両進行方向後方位置に、路面に接地して路面上の塵埃を掃き上げるための掃き上げ部材が、塵埃を前記空気吸引口側へ掃き上げる方向へ回転可能に設置されている一方、
前記フード部材の、前記掃き上げ部材よりも更に車両進行方向後方位置に開設された空気吐出口を介して、前記フード部材内の路面へ向かって空気を吐出可能な吐出装置が備えられていることを特徴とする路面清掃車。
【請求項２】
掃き上げ部材の外周面に、空気吐出口から吐出された空気を空気吸引口側へと導くための空気通路を形成したことを特徴とする請求項１に記載の路面清掃車。
【請求項３】
掃き上げ部材を、軸部材の外周面にブラシを部分的に植設してなる掃き上げブラシとし、軸部材の外周面に植設されたブラシ同士の隙間を空気通路としたことを特徴とする請求項２に記載の路面清掃車。
【請求項４】
空気吐出口に、吐出された空気を掃き上げ部材の接地部へ導くためのノズルを備えたことを特徴とする請求項１〜３の何れかに記載の路面清掃車。
【請求項５】
フード部材内の空気吸引口と対面する位置に、水平又は後方へ向けて下方に傾斜する底壁を設けるとともに、該底壁に、掃き上げ部材の接地部へ向けて下方に傾斜するゴムフラップを取り付けたことを特徴とする請求項１〜４の何れかに記載の路面清掃車。
【請求項６】
清掃ユニットのフード部材前方位置に、後方へ向けて上方に傾斜するガイド部材を設けるとともに、該ガイド部材の下端に、ガイド部材と路面との隙間を遮断するガイドフラップを設置したことを特徴とする請求項１〜５の何れかに記載の路面清掃車。
【発明の詳細な説明】
【技術分野】
【０００１】
本発明は、路面上の塵埃をホッパへ回収する路面清掃車に関するものである。
【背景技術】
【０００２】
従来より、清掃性能の向上を図るべく種々の路面清掃車が考案されており、たとえば特許文献１や特許文献２に開示されているように、路面上の塵埃を掃き上げるための掃き上げブラシを清掃ユニットに備えたものがある。
【０００３】
【特許文献１】特開２００４−２０４５７１号公報
【特許文献２】特開２００４−１９７３０１号公報
【０００４】
ここで、従来の路面清掃車の清掃ユニットについて説明する。
従来の清掃ユニットは、底面に大きな開口を有する箱状の吸引フードを、車両に対して上下動自在、且つ、車幅方向へ移動自在に備えてなるものであって、該吸引フード内の車両進行方向前方側には、路面上の塵埃を吸引フード内へと掃き寄せるための側ブラシが移動可能に設置されている。また、該側ブラシよりも車両進行方向の後方側には、路面上から塵埃を掃き上げるための掃き上げブラシが、車幅方向を軸として上下動可能に設置されている。さらに、吸引フード内の側ブラシと掃き上げブラシとの間には、吸引フードの天板から下方へ立設されて吸引フードを前後方向（車両進行方向）で車幅方向に亘って仕切る仕切板と、該仕切板の下端に後方へと延設されて吸引フードを上下方向で車幅方向に亘って仕切る中間板とが設けられている。一方、掃き上げブラシの上半分を覆うような断面逆Ｕ字状のブラシカバーが吸引フードの車幅方向に亘って取り付けられている。さらに、上記仕切板の下端、ブラシカバーの後方端、及び吸引フードの左右両壁下端には、路面に摺接するゴムフラップが取り付けられており、該ゴムフラップにより上記中間板の下方が外部から仕切られて、掃き寄せ室として形成される。
【０００５】
また、ブラシカバーと、上記仕切板及び中間板と、吸引フードの左右両壁及び天板とで囲まれた空間へは、ブロアの空気吐出側に連通された空気吐出ダクトが連結されており、上記空間を空気流入室としている。さらに、ブラシカバーの前方端と中間板の後方端との間に隙間を設けて空気吐出口とし、空気流入室内へ吹き出された空気を上記掃き寄せ室内へ吐出可能としている。加えて、中間板には、空気吸い込み口が開設されており、該空気吸い込み口には、空気流入室を貫くように空気吸引ダクトが連結されている。該空気吸引ダクトは、塵埃回収用のホッパへ接続されている。また、ホッパは、ブロアの空気吸引側に連通しており、ブロアの動作により吸引力が発生し、掃き寄せ室内の空気を吸引するようになっている。
【０００６】
以上のような清掃ユニットによれば、側ブラシにより吸引フード内、ひいては掃き寄せ室内へと掃き寄せられた塵埃を、掃き上げブラシの前方に開口する空気吐出口から吐出される空気によって路面上から吹き上げるとともに、掃き上げブラシによって路面上から掃き上げた後、空気吸引ダクトを介してホッパ内へ空気とともに吸引・回収することによって、路面の清掃を行う。
【発明の開示】
【発明が解決しようとする課題】
【０００７】
しかしながら、上述したような清掃ユニットでは、ブラシカバーの前方端と中間板の後方端との間の隙間を空気吐出口としている、すなわち掃き上げブラシの前方に空気吐出口を設けているため、路面清掃車の走行速度が３０ｋｍ／ｈを超えると、路面上の塵埃を十分に吹き上げる・掃き上げることができず、清掃性能が落ちて十分に路面を清掃することができなかった。そのため、路面の清掃に非常に時間がかかるという問題を抱えている。また、高速道路を清掃する場合では、路面清掃車の速度があまりにも遅いと一般車両の邪魔になるだけでなく、事故等の原因となりかねないといった問題がある。そこで、清掃ユニットによる清掃性能を高めるための一手段として、ブロア等の大型化が考えられる。しかしながら、ブロア等を大型化することにより、路面清掃車自体の大型化、清掃ユニットを動作させるためのエネルギーの増大等といった諸問題が生じることになる。
【０００８】
そこで、本発明は、上記問題に鑑みなされたものであって、ブロアや作業エンジン等を大型化することなく、より速い速度で走行したとしても十分な清掃性能を発揮することができる実用的な路面清掃車を提供しようとするものである。
【課題を解決するための手段】
【０００９】
上記目的を達成するために、本発明のうち請求項１に記載の発明は、車体に、塵埃を回収するためのホッパと、路面に対面した作業位置で路面の一部を覆うことにより内部に清掃室を形成可能な蓋状のフード部材を有する清掃ユニットと、前記フード部材に開設された空気吸引口に接続され、前記清掃室内にある塵埃を空気とともに前記ホッパへ回収可能な吸引装置とを備えた路面清掃車であって、前記フード部材内の前記空気吸引口よりも車両進行方向後方位置に、路面に接地して路面上の塵埃を掃き上げるための掃き上げ部材が、塵埃を前記空気吸引口側へ掃き上げる方向へ回転可能に設置されている一方、前記フード部材の、前記掃き上げ部材よりも更に車両進行方向後方位置に開設された空気吐出口を介して、前記フード部材内の路面へ向かって空気を吐出可能な吐出装置が備えられていることを特徴とする。
請求項２に記載の発明は、請求項１の発明において、掃き上げ部材の外周面に、空気吐出口から吐出された空気を空気吸引口側へと導くための空気通路を形成したことを特徴とする。
請求項３に記載の発明は、請求項２の発明において、掃き上げ部材を、軸部材の外周面にブラシを部分的に植設してなる掃き上げブラシとし、軸部材の外周面に植設されたブラシ同士の隙間を空気通路としたことを特徴とする。
請求項４に記載の発明は、請求項１〜３の何れかの発明において、空気吐出口に、吐出された空気を掃き上げ部材の接地部へ導くためのノズルを備えたことを特徴とする。
請求項５に記載の発明は、請求項１〜４の何れかの発明において、フード部材内の空気吸引口と対面する位置に、水平又は後方へ向けて下方に傾斜する底壁を設けるとともに、該底壁に、掃き上げ部材の接地部へ向けて下方に傾斜するゴムフラップを取り付けたことを特徴とする。
請求項６に記載の発明は、請求項１〜５の何れかの発明において、清掃ユニットのフード部材前方位置に、後方へ向けて上方に傾斜するガイド部材を設けるとともに、該ガイド部材の下端に、ガイド部材と路面との隙間を遮断するガイドフラップを設置したことを特徴とする。
【発明の効果】
【００１０】
本発明によれば、フード部材内の空気吸引口よりも車両進行方向後方位置に、路面に接地して路面上の塵埃を掃き上げるための掃き上げ部材が、塵埃を前記空気吸引口側へ掃き上げる方向へ回転可能に設置されている一方、フード部材の、掃き上げ部材よりも更に車両進行方向後方位置に開設された空気吐出口を介して、フード部材内の路面へ向かって空気を吐出可能な吐出装置が備えられている。したがって、清掃室内にある塵埃を、空気吐出口から吐出される空気と、掃き上げ部材による掃き上げ動作とによって、空気吸引口側へ効率良く掃き上げることができるとともに、空気吐出と空気吸引とによる空気流によって掃き上げられた塵埃を効率良くホッパへ回収することができる。したがって、清掃機能を向上させることができるのは勿論、高速走行にて清掃を行う場合にあっても、路面上の塵埃を残すことなく、確実に掃き上げ、ひいては回収することができる。さらに、掃き上げ部材の車両進行方向後方位置から空気を吐出することにより、車両の後方への塵埃立ちを防止することができ、路上にて安全な清掃作業を実施することができる。
また、請求項２に記載の発明によれば、掃き上げ部材の外周面に、空気吐出口から吐出された空気を空気吸引口側へと導くための空気通路を形成している。したがって、空気が掃き上げ部材の接地部を通り抜ける際、掃き上げ部材の回転動作により渦気流が生じるため、塵埃の掃き上げ効果を高めることができ、より速い速度で清掃を行ったとしても清掃機能の低下を招くことがない。
さらに、請求項３に記載の発明によれば、掃き上げ部材を、軸部材の外周面にブラシを部分的に植設してなる掃き上げブラシとし、軸部材の外周面に植設されたブラシ同士の隙間を空気通路としている。したがって、外周面に空気通路が形成された掃き上げブラシを容易且つ安価に作製することができる。
さらにまた、請求項４に記載の発明によれば、空気吐出口に、吐出された空気を掃き上げ部材の接地部へ導くためのノズルを備えている。したがって、空気吐出口から吐出される空気を効率良く掃き上げ部材の接地部へと導くことができ、塵埃の掃き上げ効果、車両後方への塵埃立ち防止効果をより向上させることができ、更なる高速走行での清掃にも対応することができる。
またさらに、請求項５に記載の発明によれば、フード部材内の空気吸引口と対面する位置に、水平又は後方へ向けて下方に傾斜する底壁を設けるとともに、該底壁に、掃き上げ部材の接地部へ向けて下方に傾斜するゴムフラップを取り付けている。したがって、掃き上げられた塵埃を効率良く空気吸引口へ導くことができる上、一旦掃き上げた塵埃を再び路面上に落とすことなく底壁上（又はゴムフラップ上）にキャッチできるため、塵埃の回収率、すなわち清掃機能を極めて向上させることができる。加えて、底壁上へと掃き上げることで、その塵埃が清掃車の走行速度の影響を受けなくなるため、高速走行での清掃に効果的であり、たとえば高速道路等において一般車両の迷惑とならない速度で走行しながら確実な清掃を実施することができるといった効果を奏し得る。
加えて、請求項６に記載の発明によれば、清掃ユニットのフード部材前方位置に、後方へ向けて上方に傾斜するガイド部材を設けるとともに、該ガイド部材の下端に、ガイド部材と路面との隙間を遮断するガイドフラップを設置しているため、清掃ユニットの前方にある空気をガイド部材により清掃ユニット上方へ導くことができる。したがって、従来のような低速走行における清掃機能の更なる向上を図ることができるのは勿論、たとえ清掃車を高速走行させたとしても、清掃室内への外部の空気の侵入を抑止することができ、高速走行での路面清掃を実現することができる。
【発明を実施するための最良の形態】
【００１１】
以下、本発明の一実施形態となる路面清掃車（以下、清掃車という）について図面を基に説明する。
図１は、清掃車１及び清掃ユニット１０を車両進行方向左側から示した説明図であり、図２は、清掃車１及び清掃ユニット１０を上方から示した説明図である。また、図３は、清掃ユニット１０を上方から示した説明図であり、図４は、清掃ユニット１０を側方から示した説明図である。尚、本実施形態においては、車両進行方向と平行な方向を清掃車１の前後方向、車幅方向を清掃車１の左右方向とするとともに、図１における左側を清掃車１の前側として説明する。また、清掃ユニット１０についても同様である。
【００１２】
清掃車１は、空気の吐出及び吸引を行うためのブロア（吸引装置及び吐出装置）２と、後述の如くして吸引された塵埃を回収するためのホッパ３とを搭載したものであって、車体下部に備えられるシャーシ４の下方で、前輪５、５と後輪６、６との間には、路面を清掃するための清掃ユニット１０が設置されている。清掃ユニット１０は、清掃車１の左右に各一基づつ（左側路肩用、右側路肩用）備えられている。左右の清掃ユニット１０は、左右対称に形成されている他は同じ構成を有しており、本実施形態においては、左側路肩用の清掃ユニット１０について説明し、右側路肩用の清掃ユニットについての説明及び図示は省略する。
【００１３】
清掃ユニット１０は、支持機構として機能する吸引フード（フード部材）３０と、該吸引フード３０に取り付けられた掃き上げブラシ１１や側ブラシ１２、ガイド翼１３といった清掃機構と、吸引フード３０に固着された補助キャスター５１、５１・・とを備えてなる。該清掃ユニット１０は、昇降張出機構９を介して清掃車１の下部に取り付けられており、昇降張出機構９により、車体に対して、上下方向には路面に当接する作業位置と車体下部に格納される格納位置との間を、左右方向には車体側面より外側へ張り出す作業位置と車体下方に格納される格納位置との間を夫々移動可能となっている。尚、昇降張出機構９については、たとえば本件出願人が先に提案した特開２００４−２０４５７１号公報に開示されている構成のような周知の構成を適用することができる。
【００１４】
吸引フード３０は、清掃ユニット１０の外側を支持する外板３１と、清掃ユニット１０の内側を支持する内板３３とを、所定の間隔（車幅の略半分の長さ）を有して並設してなるものである。外板３１は、内板３３の略半分の前後方向長さとなっており、両板３１、３３は後端を略揃えた状態で設置されている。そして、外板３１と内板３３とで挟まれた空間の後方寄りには、路面上の塵埃を掃き上げるための掃き上げブラシ１１が、左右方向に平行な軸を中心として、路面上の塵埃を前方（後述する空気吸引室Ｑ側）へと掃き上げる方向へ回転可能に設置されている。掃き上げブラシ１１は、外板３１と内板３３との間に亘って架設されており、外板３１及び内板３３に固着されたアーム機構２９、２９によって、上下方向に揺動可能となっている。尚、２８は、掃き上げブラシ１１を回転させるための回転機構である。そして、回転機構２８やアーム機構２９については、たとえば本件出願人が先に提案した特開２００４−１９７３０１号公報に開示されている構成のような周知の構成を適用することができる。
【００１５】
ここで、掃き上げブラシ１１について、図５及び６をもとに詳述する。図５（ａ）は、掃き上げブラシ１１を側方から見た説明図であり、図５（ｂ）は、ブラシ部４３を拡大して示した説明図である。また、図６（ａ）〜（ｃ）は、掃き上げブラシ１１に空気を吹き付けた際の、ブラシ部４３、４３・・における空気の流れを示した説明図である。
掃き上げブラシ１１は、円柱状のブラシ軸（軸部材）４１に、複数のブラシ部４３、４３・・を円周方向に沿って所定の間隔ｂごとに植設してなるものである。各ブラシ部４３は、多数のブラシ繊維を束ねてなるブラシ４２を軸線方向に沿って所定の間隔ａごとに径方向へと立設させてなるものであって、隣接するブラシ部４３、４３同士において、ブラシ４２が平面視で千鳥状となるように備えられている。すなわち、一列分のブラシ部４３において隙間ａとなっている位置を周方向にたどると、周方向で隣接するブラシ部４３、４３では該位置にブラシ４２が立設されている（図６（ｂ）等に明記）。
【００１６】
このような掃き上げブラシ１１の掃き上げ方向への回転中に、後述の空気吐出口２２から図６の矢印Ｓに示すように空気をブラシ部４３、４３・・へ吹き付けた場合の空気の流れについて説明する。尚、ブラシ部４３への空気の吹き付け方向は、空気吐出口２２から吐出される空気の流速が掃き上げブラシ１１の回転速度よりもはるかに速いため、図６に示す如く、回転中の掃き上げブラシ１１のブラシ部４３に対して追い風となる。
回転中の掃き上げブラシ１１に対して空気を吹き付けると、各ブラシ部４３におけるブラシ４２、４２との隙間が空気通り抜けための空気通路となる。つまり、図６（ａ）に示す如く、ブラシ部Ａが吹き付け位置にある場合、空気は、ブラシ部Ａにおけるブラシ４２、４２間を空気通路として通り抜ける。その後、掃き上げブラシ１１の回転に伴ってブラシ部Ｂが吹き付け位置へ回転してくると、空気は、図６（ｂ）に示す如く、ブラシ部Ｂのにおけるブラシ４２、４２間を通り抜けた後、ブラシ部Ａにおけるブラシ４２、４２間を通り抜けるようにして流れる。この際、空気流は、ブラシ部Ａとブラシ部Ｂとではブラシ４２、４２・・が平面視千鳥状に設けられていることに伴って、掃き上げブラシ１１の回転運動の影響を受け、図７等に示すような渦気流となる。そして、掃き上げブラシ１１の更なる回転により、ブラシ部Ｂが吹き付け位置に到達すると、空気は、ブラシ部Ｂのブラシ４２、４２間を空気通路として通り抜ける。
このように、回転中の掃き上げブラシ１１に対して吹き付けられる空気は、渦気流となりながら回転方向前方側へと流れる。したがって、路面上の塵埃は、掃き上げブラシ１１による掃き上げと、掃き上げブラシ１１に吹き付けられた空気の渦気流とにより、空気中に効率良く分散して空気吸引室Ｑへと導かれる。
【００１７】
一方、上述したような掃き上げブラシ１１の上方には、掃き上げブラシ１１の略上半分を覆うような逆Ｕ字状のブラシカバー３４が外板３１と内板３３との間に架設されている。さらに、ブラシカバー３４の上方及び後方を覆うようなＬ字状の壁板３２が、外板３１と内板３３との間に架設されている。該壁板３２の垂直面部は、外板３１と内板３３との後端間を閉塞する後板として機能する一方、壁板３２の水平面部前端は、下方へ傾斜する傾斜面状に形成され、ブラシカバー３４に溶着されており、ブラシカバー３４と壁板３２との間に空間が形成されている。また、壁板３２の水平面部には開口（空気吹き出し口）２０が設けられている。該空気吹き出し口２０には、ブロア２の空気吐出側に接続された空気吐出ダクト７が連結されて、上記空間内へ空気を吹き出し可能となっており、上記空間は空気流入室Ｒとなる。
【００１８】
さらに、ブラシカバー３４の後方端と壁板３２の下端との隙間は、空気流入室Ｒへ吹き出された空気を、掃き上げブラシ１１の接地部（後述する掃き寄せ室Ｐを含む）へと吐出するための空気吐出口２２となっている。該空気吐出口２２（ブラシカバー３４の後端と壁板３２の垂直面下端と）には、互いに対向するように固着された一対の傾斜板（ノズル）２３、２３が、掃き上げブラシ１１の接地部へ向けて先細り状となるように取り付けられており、空気吐出口２２から吐出される空気を、掃き上げブラシ１１の接地部へと導くようにしている。
【００１９】
さらにまた、ブラシカバー３４の前端には、外板３１と内板３３とを上下方向で分割する中間板（フード部材）１６が、外板３１と内板３３との間に亘って固着されている。該中間板１６は、前側へと僅かに上向く傾斜状となる傾斜面を有しているとともに、その前端は、下方へ折り曲げられた状態となっている。また、中間板１６の傾斜面には、開口（空気吸引口）２１が設けられているとともに、該空気吸引口２１よりも若干前方位置には、下方へ垂設された後に後方へ水平又は下方へ向けて傾斜状に折り曲げられてなるＬ字状の仕切板１７が固着されており、上記空気吸引口２１と、仕切板１７の折り曲げ部（底壁として機能する）とが対面するようになっている。そして、空気吸引口２１には、ホッパ３に連通された空気吸引ダクト８が連結されており、中間板１６と仕切板１７の底壁との間に形成されている空間、すなわち空気吸引室（清掃室）Ｑ内の空気を塵埃とともにホッパ３へ吸引可能としている。尚、仕切板１７には、掃き上げブラシ１１の接地部へ向けて下方に傾斜する合成樹脂製のゴムフラップ１９が、底壁を越えて取り付けられている。
【００２０】
加えて、中間板１６の前端、及び傾斜板２３を含む壁板３２の下端には、清掃ユニット１０が作業位置にある際に路面に摺接するゴムフラップ１８、２４が取り付けられている。また、外板３１及び内板３３の下端にも同様のサイドフラップが取り付けられており、ゴムフラップ１８、２４及びサイドフラップにより、中間板１６の下方の空間が外部と仕切られ、掃き寄せ室（清掃室）Ｐとして形成される。
【００２１】
また、中間板１６よりも前方（すなわち、掃き上げブラシ１１や掃き寄せ室Ｐよりも前方）には、円筒型の側ブラシ１２が回転機構２６により水平軸（若干の垂直方向への傾斜も含む）を中心として回転可能に設置されている。該側ブラシ１２は、周知の駆動機構であるアーム等を備えた駆動機構２７により、車体下部に収容される収容位置と、外板３１の前方から車体よりも側方へ張り出される作業位置との間を移動可能に取り付けられている。尚、駆動機構２７は、該駆動機構２７の前方に固着される後述の如きガイド翼１３に取り付けられている。
【００２２】
さらに、側ブラシ１２の前方には、前方からの風を清掃ユニット１０の上方へと逃がすためのガイド翼（第一ガイド部材）１３が固着されている。ガイド翼１３は、金属製の板部材を平行四辺形状に折り曲げてなるものであって、両板３１、３３間と略同じ左右幅を有している。そして、内板３３の前端部から外方（左方向）へ、前面が前方から見て上向きの傾斜面となるような状態で立設されている。また、ガイド翼１３の後方には、ガイド翼１３の下方を潜り抜けてきた風を清掃ユニット１０の上方へ逃すための補助翼（第二ガイド部材）１４が、内板３３に固着されている。該補助翼１４は、ガイド翼１３と略同じ左右幅を有する板状部材であって、ガイド翼１３の傾斜面と平行となるような姿勢で、ガイド翼１３から所定の間隔だけ後方に取り付けられている。尚、該補助翼１４の下端には、軟質の合成樹脂により形成されたガイドフラップ１５が、清掃ユニット１０が作業位置に位置する際に、路面に摺接するように備えられている。
【００２３】
以上のような清掃ユニット１０を備えた清掃車１による路面の清掃について、図７をもとに説明する。図７は、路面の清掃を行う際の空気や塵埃の流れを示した説明図である。
路面を清掃するにあたっては、走行中の清掃車１において清掃ユニット１０を格納位置から作業位置へと移動させる。清掃ユニット１０が作業位置に位置すると、ガイドフラップ１５、ゴムフラップ１８、２４、及びサイドフラップが路面に摺接した状態となり、吸引フード３０内の中間板１６の下方に掃き寄せ室Ｐが形成される。そして、該状態にて
掃き上げブラシ１１を路面に当接させるとともに側ブラシ１２を作業位置へ移動させて、掃き上げブラシ１１は路面上の塵埃を掃き上げる方向へ、側ブラシ１２は路面上の塵埃を掃き寄せ室Ｐ内へ掃き寄せる方向へ夫々回転駆動させる。また、ブロア２を作動させて、空気吐出ダクト７を介して空気吹き出し口２０からの空気の吹き出し（すなわち、空気吐出口２２からの空気の吐出）を行うとともに、空気吸引ダクト８を介して空気吸引口２１からの空気の吸引を行う。
【００２４】
このように、各清掃機構を駆動させると、路面上の塵埃は、まず側ブラシ１１によって掃き寄せ室Ｐ内へ掃き寄せられる。掃き寄せ室Ｐ内に掃き寄せられた塵埃Ｘは、掃き上げブラシ１１のブラシ部４３を通り抜けることによって渦気流とされた吹き出し空気と、掃き上げブラシ１１による掃き上げ動作によって、仕切板１７の底壁上に形成されている空気吸引室Ｑへと運ばれる。そして、空気吸引口２１から空気吸引ダクト８を介して空気とともに吸引され、ホッパ３内へと回収される。
【００２５】
また、清掃車を走行させながら路面の清掃を行うにあたっては、清掃車の走行の影響で掃き寄せ室Ｐ内に多量の空気が流入し、掃き寄せ室Ｐ内（ずなわち、空気吸引室Ｑ）における空気の吸引力が低下してしまい、良好な清掃機能を発揮できなくなるという問題があった。特に、清掃車を３０ｋｍ／ｈ〜４０ｋｍ／ｈを超えるような高速で走行させる場合、上記掃き寄せ室Ｐ内への空気の流入に係る問題はより顕著となっていた。しかしながら、清掃ユニット１０においては、清掃ユニット１０の前方にある空気の大半が、ガイド翼１３により清掃ユニット１０上方へと導かれる。また、ガイド翼１３の下方を抜けてきた空気は、ガイドフラップ１５にて阻まれた後、補助翼１４によって清掃ユニット１０上方へと導かれる。このようにして、掃き寄せ室Ｐ内への空気の侵入が抑止される。尚、路面上にある塵埃等は、軟質なガイドフラップ１５を潜り抜けて掃き寄せ室Ｐ内へ掃き寄せられる。
【００２６】
上述したような構成を有する清掃車１によれば、清掃ユニット１０の吸引フード３０内に掃き上げブラシ１１を備えているとともに、該掃き上げブラシ１１の後方に、掃き上げブラシ１１の接地部へと空気を吐出する空気吐出口２２を設けているため、掃き寄せ室Ｐ内へ掃き寄せられた塵埃Ｘを効率良く掃き上げることができるとともに、吐出吸引による空気流によって塵埃Ｘを迅速にホッパ３内へ回収することができる。したがって、従来のような低速走行における清掃機能を向上させることができる上、高速走行しながら清掃を行ったとしても十分に効果的な清掃機能を発揮することができる。
【００２７】
また、掃き上げブラシ１１のブラシ部４３において、ブラシ４２、４２間に隙間を形成するとともに、隣接したブラシ部４３、４３同士にて、ブラシ４２、４２・・が平面視千鳥状となるようにブラシ部４３を設けている。したがって、掃き上げブラシ１１に空気を吹き付けた際、空気が上記隙間等を通り抜けて流れるため、掃き上げブラシ１１の回転と相俟って空気流が渦気流となり、より効果的に塵埃Ｘを掃き上げることができる。さらに、掃き上げブラシ１１のブラシ部４３が有する隙間等が空気通路となるため、空気通路を備えた掃き上げブラシ１１を容易且つ安価に作製することができる。
【００２８】
さらにまた、掃き寄せ室Ｐ内の掃き上げブラシ１１よりも掃き上げ方向前方で、空気吸引口２１と対向する位置に底壁を有する仕切板１７を取り付けている。したがって、底壁と空気吸引口２１との間の空間が空気吸引室Ｑとして形成されるため、空気吸引室Ｑ内へと掃き上げられた塵埃を含む空気を効率良く吸引することができ、清掃機能を向上させることができる。
またさらに、上記仕切板１７の少なくとも底壁に後方へ突出するゴムフラップ１９を取り付けているため、掃き上げられた塵埃を空気吸引室Ｑへと導くことができる上、ゴムフラップ１９により空気中に掃き上げられた塵埃が再び路面上に落とすことなくキャッチできるため、清掃機能を極めて向上させることができる。
【００２９】
また、清掃ユニット１０の前面には、前方から見て斜め上方に上向くような傾斜面を有するガイド翼１３を設置しているため、清掃ユニット１０の前方にある空気が清掃ユニット１０上方へ導かれる。したがって、従来のような低速走行における清掃機能の更なる向上を図ることができるのは勿論、たとえ清掃車１を高速走行させたとしても、掃き寄せ室Ｐ内への外部の空気の侵入を抑止することができ、高速走行での路面清掃を実現することができる。
【００３０】
さらに、ガイド翼１３の後方には、下端にガイドフラップ１５を有する補助翼１４を備えているため、ガイド翼１３の下方を潜り抜けた空気は、該ガイドフラップ１５及び補助翼１４によって清掃ユニット１０上方へ導かれる。したがって、掃き寄せ室Ｐ内への外部の空気の進入をより確実に防止することができ、清掃機能の更なる向上、より速い走行速度への対応といった効果を図ることができる。
加えて、清掃ユニット１０の外板３１よりも更に外方へと張出可能な側ブラシ１２を備えているため、路肩付近に溜まっている塵埃までも掃き寄せ室Ｐ内へと掃き寄せることができ、より広範囲に亘って路面上の塵埃を回収することができる。
尚、本件出願人による実験では、走行速度が６０ｋｍ／ｈであっても清掃機能を損ねることなく、路面の清掃を実施することができた。また、従来の同様の速度（３０ｋｍ／ｈ程度）での清掃機能においては、従来の３〜５倍の塵埃回収率を実現することができた。
【００３１】
なお、本発明の清掃車に係る構成は、上記実施形態の態様に何ら限定されるものではなく、清掃ユニット、掃き上げ部材、ガイド部材、及び側ブラシ等の数や設置位置、形状、材質といった構成ついて、本発明の趣旨を逸脱しない範囲で、必要に応じて適宜変更することができる。
【００３２】
たとえば、上記実施形態においては、清掃ユニットに備える側ブラシとして円筒型の側ブラシを採用しているが、図８に示すように、清掃ユニット１０’に垂直軸（若干の水平方向への傾斜も含む）を中心として回転するような円錐型の側ブラシ１２’を設けてなる清掃車１’としてもよいし、図９に示すように、側ブラシを有さない清掃ユニット１０’’を備えてなる清掃車１’’としてもよく、側ブラシの形状や数等に何ら限定されることはない。
【００３３】
また、上記実施形態においては、清掃ユニットを清掃車の左右両側に備えるとしているが、片側（たとえば路肩側）だけに備えるようにしてもよい。さらに、清掃ユニットが格納位置にて車体側方から突出する大きさを有していたとしても何ら問題はなく、清掃ユニットの幅などの大きさや数等も適宜設計変更可能である。
【００３４】
さらにまた、上記実施形態では、ブラシを多数のブラシ繊維を束ねてなるものとしているが、板状のブラシ（たとえばゴム板）を採用することも可能で、該板状ブラシを軸から径方向に突設して掃き上げ部材を構成してもよい。
加えて、掃き上げ部材の外周に形成する空気通路の形状も適宜変更設計可能である。すなわち、ブラシを平面視千鳥状に設置することによりブラシ間の隙間を空気通路とする構成に何ら限定されることはなく、ブラシに孔を穿設することによって、該孔を空気通路とするように構成することも可能である。
【図面の簡単な説明】
【００３５】
【図１】清掃車及び清掃ユニットを車両進行方向左側から示した説明図である。
【図２】清掃車及び清掃ユニットを上方から示した説明図である。
【図３】清掃ユニットを上方から示した説明図である。
【図４】清掃ユニットを側方から示した説明図である。
【図５】（ａ）は、掃き上げブラシを側方から見た説明図であり、（ｂ）は、ブラシ部を拡大して示した説明図である。
【図６】（ａ）〜（ｃ）は、掃き上げブラシに空気を吹き付けた際の、ブラシ部における空気の流れを示した説明図である。
【図７】路面の清掃を行う際の空気や塵埃の流れを示した説明図である。
【図８】（ａ）及び（ｂ）は、清掃車の変更例を示した説明図である。
【図９】（ａ）及び（ｂ）は、清掃車の変更例を示した説明図である。
【符号の説明】
【００３６】
１・・路面清掃車、２・・ブロア、３・・ホッパ、７・・空気吐出ダクト、８・・空気吸引ダクト、１０・・清掃ユニット、１１・・掃き上げブラシ、１２・・側ブラシ、１３・・ガイド翼、１４・・補助翼、１５・・ガイドフラップ、１６・・中間板、１７・・仕切板、１８、２４・・ゴムフラップ、１９・・ゴムフラップ（底壁に設置）、２０・・空気吹き出し口、２１・・空気吸引口、２２・・空気吐出口、２３・・傾斜板、３０・・吸引フード、３２・・壁板、３４・・ブラシカバー、４１・・ブラシ軸、４３・・ブラシ部。
【図１】
2007303172.tif 000003
【図２】
2007303172.tif 000004
【図３】
2007303172.tif 000005
【図４】
2007303172.tif 000006
【図５】
2007303172.tif 000007
【図６】
2007303172.tif 000008
【図７】
2007303172.tif 000009
【図８】
2007303172.tif 000010
【図９】
2007303172.tif 000011